(57)【要約】【課題】冗長電源装置内の電力供給ユニットの動作数の値を動的に決定し、最適な電力供給効率の下で動作し続ける冗長電源装置を提供する。【解決手段】電力需要装置に接続され、かつ、複数の電力供給ユニットを含む冗長電源装置に適用される制御方法であって、その制御方法は、電力需要装置の必要電力値を検出して計算し、制御命令を生成するために、必要電力値及び複数の効率動作データに応じて電力供給ユニットの動作数を決定し、制御命令に従って冗長電源装置を選択的に制御する。また、複数の効率動作データは、冗長電源装置の供給電力と電力供給ユニットの動作数との関係を示し、その関係は冗長電源装置の電力供給効率と関連付けられる。【選択図】図２
2019220137.tif 000002
【特許請求の範囲】
【請求項１】
電力需要装置に接続され、かつ、複数の電力供給ユニットを含む冗長電源装置に適用される制御方法であって、前記制御方法は、
前記電力需要装置の必要電力値を検出して計算し、
制御命令を生成するために、前記必要電力値及び複数の効率動作データに従って前記電力供給ユニットの動作数を決定し、
前記制御命令に従って前記冗長電源装置を選択的に制御すること、を含み、
前記複数の効率動作データは、前記冗長電源装置の供給電力と前記電力供給ユニットの前記動作数との関係を示し、前記関係は前記冗長電源装置の電力供給効率と関連付けられる制御方法。
【請求項２】
さらに、
前記冗長電源装置が電力供給範囲で動作し、前記電力供給ユニットの前記動作数が第１の値である場合、前記冗長電源装置の前記電力供給効率を示す第１状態効率値を取得し、
前記冗長電源装置が前記電力供給範囲で動作し、前記電力供給ユニットの前記駆動数が第２の値である場合、前記冗長電源装置の前記電力供給効率を示す第２状態効率値を取得し、
前記第１状態効率値が前記第２状態効率値よりも大きい場合、前記第１の値及び前記第１の値に対応する前記電力供給範囲を含む複数の効率動作データを生成することを含む請求項１に記載の制御方法。
【請求項３】
前記電力需要装置の必要電力値を検出して計算することは、
前記電力需要装置に電力を供給するために前記電力供給ユニットを制御し、前記電力供給ユニットの複数の最新の消費電力値を検出し、
前記最新の消費電力値に基づいて、前記電力需要装置の前記必要電力値を選択的に計算することを含む請求項１に記載の制御方法。
【請求項４】
前記最新の消費電力値に基づいて、前記電力需要装置の前記必要電力値を選択的に計算することは、
前記最新の消費電力値に基づいて、前記電力供給ユニットが正常に動作しているかどうかを判定し、
前記電力供給ユニットが正常に動作している場合、前記最新の消費電力値に基づいて、前記電力需要装置の必要電力値を計算し、
前記電力供給ユニットの一つが異常に動作している場合、前記電力需要装置に電力を供給するために前記電力供給ユニットの全てを制御する請求項３に記載の制御方法。
【請求項５】
前記制御命令に従って、前記冗長電源装置を選択的に制御することは、
オプション命令を受信し、
前記オプション命令が、前記制御命令に基づいて前記冗長電源装置を制御することを示す場合、前記制御命令に従って、前記冗長電源装置を制御し、
前記オプション命令が、前記制御命令に基づいて前記冗長電源装置を制御しないことを示す場合、前記電力需要装置に電力を供給するために前記電力供給ユニットの全てを制御する請求項１に記載の制御方法。
【請求項６】
前記制御命令に従って、前記冗長電源装置を選択的に制御することは、
警告信号が発生しているかどうかを判定し、
前記警告信号が発生していない場合、前記制御命令に従って、前記冗長電源装置を制御し、
前記警告信号が発生している場合、前記電力需要装置に電力を供給するために、電力供給ユニットの全てを制御する請求項１に記載の制御方法。
【請求項７】
さらに、
警告信号に基づいて、前記電力需要装置に電力を供給するために、前記電力供給ユニットの全てを制御する請求項１に記載の制御方法。
【請求項８】
Ｎ個の電力供給ユニットを備え、かつ、電力需要装置に接続する冗長電源装置に適用される制御方法であって、前記電力供給ユニットの各々はＷワットの最大動作電力を含み、前記制御方法は、
前記電力需要装置の必要電力値を検出して計算し、
前記必要電力値及び切替しきい値に基づいて決定される前記電力供給ユニットの動作数に従って制御命令を生成し、
前記制御命令に基づいて前記冗長電源装置を選択的に制御すること、を含み、
前記切替しきい値は、ＷワットのＭ倍から（Ｍ＋１）倍の間であり（Ｍは負でない整数）、前記必要電力値が前記切替しきい値未満から前記切替しきい値を超過して変化した場合、前記動作数の値は（Ｍ＋１）から（Ｍ＋２）に変更する制御方法。
【請求項９】
Ｍが０である場合、前記切替しきい値はＷの５０％から８０％までである請求項８に記載の制御方法。
【請求項１０】
前記電力需要装置の前記必要電力値を検出して計算することは、
前記電力需要装置に電力を供給するために前記電力供給ユニットを制御し、前記電力供給ユニットの複数の最新の消費電力値を検出し、
前記最新の消費電力値に基づいて、前記電力需要装置の前記必要電力値を選択的に計算する請求項８に記載の制御方法。
【請求項１１】
前記最新の消費電力値に基づいて、前記電力需要装置の前記必要電力値を選択的に計算することは、
前記最新の消費電力値に基づいて、前記電力供給ユニットが正常に動作しているかどうかを判定し、
前記電力供給装置が正常に動作している場合、前記電力需要装置の前記必要電力値を計算し、
前記電力供給ユニットの１個が異常に動作している場合、前記電力需要装置に電力を供給するために前記電力供給ユニットの全てを制御する請求項１０に記載の制御方法。
【請求項１２】
前記制御命令に従って、前記冗長電源装置を選択的に制御することは、
オプション命令を受信し、
前記オプション命令が、前記制御命令に基づく前記冗長電源装置を示す場合、前記制御命令に従って前記冗長電源装置を制御し、
前記オプション命令が、前記制御命令に基づく前記冗長電源装置を示さない場合、前記電力需要装置に電力を供給するために前記電力供給ユニットの全てを制御する請求項８に記載の制御方法。
【請求項１３】
前記制御命令に従って、前記冗長電源装置を選択的に制御することは、
警告信号が発生しているかどうかを判定し、
前記警告信号が発生していない場合、前記制御命令に従って前記冗長電源装置を制御し、
前記警告信号が発生している場合、前記電力需要装置に電力を供給するために前記電力供給ユニットの全てを制御する請求項８に記載の制御方法。
【請求項１４】
さらに、警告信号に従って、前記電力需要装置に電力を供給するために前記電力供給ユニットを制御することを含む請求項８に記載の制御方法。
【発明の詳細な説明】
【技術分野】
【０００１】
本開示は、電力供給装置の制御方法に関し、特に、冗長電源装置の制御方法に関する。
【背景技術】
【０００２】
従来、電力需要装置は、通常、サーバー又は他の高水準コンピュータの中に２個以上の電力供給ユニットを含み、この装置は冗長電源装置と呼ばれる。電力供給ユニットの各々は、独立してサーバーに電力を供給することができる。電力供給ユニットの１個が故障した場合、他の電力供給ユニットがサーバーに電力を供給して動作し続ける。よって、サーバーは正常に動作することができる。
【０００３】
正常状態では、サーバーに配置される冗長電源装置に含まれる電力供給ユニットの数は、サーバーの最大必要電力値によって決定される。例えば、サーバーの最大必要電力値がＮ個の電力供給ユニットの総電力と同じである場合、コントローラは、サーバーへの電力供給を実行するためにＮ＋１個の電力供給ユニットを含む冗長電源装置を選択する。また、Ｎ個の電力供給ユニットは、サーバーの最新の必要電力に基づいて、サーバーに均等に電力を供給する。
【発明の概要】
【課題を解決するための手段】
【０００４】
本開示の実施形態における冗長電源装置の制御方法によれば、適用される冗長電源装置は電力需要装置に接続され、かつ、冗長電源装置は複数の電力供給ユニットを含む。その制御方法は、電力需要装置の必要電力値を検出して計算し、制御命令を生成するために、必要電力値及び効率動作データに応じて電力供給ユニットの動作数の値を決定することを含む。また、複数の効率動作データは、冗長電源装置の供給電力と電力供給ユニットの動作数との関係を示し、その関係は冗長電源の電力供給効率と関連付けられる。
【０００５】
冗長電源装置に適用される制御方法の別の実施形態によれば、適用される冗長電源装置はＮ個の電力供給ユニットを含み、その冗長電源装置は電力需要装置と接続する。電力供給ユニットの各々は、Ｗワットの最大動作電力を含む。その制御方法は、電力需要装置の必要電力値を検出して計算することと、電力供給ユニットの動作数に応じて制御命令を生成することを含む。その動作数は必要電力値及び切替しきい値に基づいて決定される。また、制御命令に基づいて冗長電源装置を選択的に制御する。なお、切替しきい値は、ＷワットのＭ倍から（Ｍ＋１）倍の間であり、必要電力値が切替しきい値未満から切替しきい値を超過して変化した場合、動作数の値は（Ｍ＋１）から（Ｍ＋２）に変更する。ここで、Ｍは負でない整数である。
【０００６】
本開示は、例示としてのみ与えられ、それによって限定されない以下に記載される詳細な説明及び添付の図面から完全に理解される。
【図面の簡単な説明】
【０００７】
【図１】本発明に基づく実施形態における冗長電源装置に適用される制御方法のシステム構成図である。
【図２】本開示に基づく実施形態における冗長電源装置の制御方法のフローチャートである。
【図３】本開示に基づく実施形態における冗長電源装置の制御方法の詳細なフローチャートである。
【図４】本開示に基づく別の実施形態における冗長電源装置の制御方法の詳細なフローチャートである。
【図５】本開示に基づく実施形態における効率動作データの概略図である。
【図６】本開示に基づく実施形態における冗長電源装置の制御方法の詳細なフローチャートである。
【図７】本開示に基づく別の実施形態における冗長電源装置の制御方法の詳細なフローチャートである。
【発明を実施するための形態】
【０００８】
以下の詳細な説明では、説明の目的のため、開示される実施形態の完全な理解を提供するために、多数の特定の詳細が述べられる。しかし、これらの具体的な詳細がなくても、１つ又は複数の実施形態を実施できることは明らかである。他の例では、図面を簡略化するために周知の構造及び装置が概略的に示される。
【０００９】
図１及び図２を参照する。ここで、図１は、本開示に基づく実施形態における冗長電源装置に適用される制御方法のシステム構成図である。図１は、本開示に基づく実施形態における冗長電源装置制御システム１に適用される方法を概略的に示す。まず、冗長電源装置制御システム１の構成について説明し、詳細な制御方法については後述する。図１に示すように、冗長電源装置制御システム１は、冗長電源装置１０と、コントローラ２０と、電力需要装置３０とを含み、冗長電源装置は、コントローラ２０によって電力需要装置３０と電気的に接続されている。
【００１０】
冗長電源装置１０は、複数の電力供給ユニットを含む。図１に示す実施形態のように、冗長電源装置１０は２個の電力供給ユニット１０１ａ及び１０１ｂを含む。別の実施形態では、本開示の制御方法は、５個又は他の数の電力供給ユニットに適用することができる。また、各電力供給ユニットによって供給される最大動作電力がある。ここで、冗長電源装置の最大供給電力は、多くても、電力供給ユニットの総数から１を引き、次いで最大動作電力のワット値を乗じたものである。例えば、図１に示す実施形態では、冗長電源装置の各々の最大動作電力が１２００ワットであるとすると、冗長電源装置１０の最大供給電力は（２−１）×１２００ワットとなる。一方、５個の電力供給ユニットを備えた冗長電源装置の最大供給電力が（５−１）×１２００ワットの場合、最大供給電力は４８００ワットである。
【００１１】
コントローラ２０は、シャーシ管理コントローラ（ＣＭＣ）又はラック管理コントローラ（ＲＭＣ）などである。コントローラ２０は、電力管理バス（ＰＭＢｕｓ）によって冗長電力供給装置１０と電力需要装置３０とに別々に接続され、電力需要装置３０の必要電力値を検出して計算し、その後本開示で提案する制御方法に基づく冗長電源装置１０の制御を実行することができる。なお、電力需要装置３０は、サーバー又は他の高水準コンピュータなどである。
【００１２】
本開示に開示される冗長電源装置１０の制御方法を説明するために、図１及び図２の両方を参照する。ここで、図２は、制御方法のフローチャートである。図２のステップＳ１１では、コントローラ２０は、電力需要装置３０の必要電力値を検出して計算する。ステップＳ１３では、コントローラ２０は、必要電力値及び効率動作データ、すなわち、オンに必要とされる電力供給ユニット１０１ａ及び１０１ｂの数に応じて電力供給ユニット１０１ａ及び１０１ｂの動作数を決定し、その動作数に基づいて制御命令を生成する。ステップＳ１５では、コントローラ２０は、冗長電力供給装置１０に制御命令を選択的に出力し、その制御命令に基づいて冗長電源装置１０を制御する。一実施形態では、動的制御の結果を達成するための冗長電源装置１０の制御の実施において、コントローラ２０は、電力供給ユニット１０１ａ及び１０１ｂの動作数を決定するために、事前設定周波数で電力需要装置３０から必要電力値を検出することができる。
【００１３】
図２のステップＳ１１を詳細に説明するため、図１、図２及び図３を一緒に参照する。ここで、図３は、本開示に基づく一実施形態における図２のステップＳ１１の詳細なフローチャートである。ステップＳ１０１では、コントローラ２０は、冗長電源装置１０の電力供給ユニット１０１ａ及び１０１ｂを制御して、電力需要装置３０に電力を供給することができる。また、コントローラ２０は、電力供給ユニット１０１ａ及び１０１ｂから複数の最新の消費電力値を検出する。ステップＳ１０３では、コントローラ２０は、電力供給ユニット１０１ａ及び１０１ｂの各々からの最新の消費電力値に基づいて、電力需要装置３０の必要電力値を計算する。例えば、コントローラ２０は、電力供給ユニット１０１ａ及び１０１ｂからの総消費電力値を電力需要装置３０の必要電力値として計算することができる。また、コントローラ２０は、電力需要装置３０に対して、異なる重み付けで電力供給ユニット１０１ａ及び１０１ｂの各々を設定することができる。なお、本開示において重み付けに制限はない。
【００１４】
別の実施形態では、図１、図３及び図４を参照する。ここで、図４は、本開示に基づく別の実施形態の冗長電源装置１０の制御方法の詳細なフローチャートである。本実施形態において、コントローラ２０が、冗長電源装置１０の電力供給ユニット１０１ａ及び１０１ｂの各々から最新の消費電力値を検出した後（図３のステップＳ１０１で示される）、コントローラ２０は、最新の消費電力値に基づいて電力供給ユニット１０１ａ及び１０１ｂが正常に動作しているかどうかを判定する（ステップＳ１０２に示される）。例えば、電力供給ユニット１０１ａ及び１０１ｂの電力供給の重みが同じであれば、電力供給ユニット１０１ａ及び１０１ｂの最新の消費電力値も同じになるはずである。この場合、コントローラ２０によって検出された電力供給ユニット１０１ａ及び１０１ｂの最新の消費電力値が明らかに異なるのであれば、電力供給ユニット１０１ａ及び１０１ｂは異常に動作している。ステップＳ１０４では、電力供給ユニット１０１ａ及び１０１ｂの１個が異常に動作している場合、コントローラ２０は、電力供給ユニット１０１ａ及び１０１ｂの全てを制御して電力需要装置３０に電力を供給する。言い換えれば、コントローラ２０が、冗長電源装置１０が異常に動作していると判定したとき、動的制御方法を停止する。一方、コントローラ２０が、電力供給ユニット１０１ａ及び１０１ｂの両方が正常に動作していると判定したとき、コントローラ２０は電力需要装置３０の必要電力値を計算し続ける（図３のステップＳ１０３に示される）。
【００１５】
電力需要装置３０から必要電力値を取得した後、必要電力値及び図２のステップＳ１３で示される記載のような効率動作データに基づいて、コントローラ２０は電力供給ユニット１０１ａ及び１０１ｂの動作数の値を決定する。本ステップのさらなる記載として、図１、図２及び図５を参照する。ここで、図５は、本開示に基づく実施形態の効率動作データの概略図である。上述したように、必要電力値及び効率動作データに応じて、コントローラ２０は、電力供給ユニット１０１ａ及び１０１ｂの動作数の値を決定する。ここで、効率動作データは、冗長電源装置１０の供給電力と電力供給ユニット１０１ａ及び１０１ｂの動作数との関係を示す。また、その関係は、冗長電源装置１０の電力供給効率と関連付けられる。具体的には、効率動作データは、事前にコントローラ２０のメモリに保存されていてもよい。図５に示すように、効率動作データの形成は、ｘ軸が「供給電力」を示し、ｙ軸が「電力供給効率」を示す効率曲線Ｃ１であってもよい。また、効率曲線Ｃ１の各々の点は対応する動作数を含む。図５は、電力供給ユニット１０１ａ及び１０１ｂを備える冗長電源装置１０に対応する効率曲線Ｃ１を概略的に示す。
【００１６】
具体的には、効率曲線Ｃ１は、第１状態効率曲線Ｃ１１の一部と、第２状態効率曲線Ｃ１２の一部とで構成される。また、第１状態効率曲線Ｃ１１は、電力供給ユニット１０１ａ及び１０１ｂの一個がオンのときの供給電力と冗長電源装置１０の電力供給効率との関係を示す。また、第２状態効率曲線Ｃ１２は、電力供給ユニット１０１ａ及び１０１ｂの全てがオンのときの供給電力と冗長電源装置１０の電力供給効率との関係を示す。効率曲線Ｃ１は、第１状態効率曲線Ｃ１１と第２状態効率曲線Ｃ１２のうちの少なくとも一つの部分で構成される。ここで、各部分は、第１状態効率曲線Ｃ１１と第２状態効率曲線Ｃ１２との間で最大効率値を有する。本実施形態では、効率曲線Ｃ１において、交点Ｏ１に対応する供給電力が切替しきい値となる。ここで、第１状態効率曲線Ｃ１１の一部と第２状態効率曲線Ｃ１２の一部が交点Ｏ１で交わる。電力需要装置３０の必要電力値が切替しきい値未満から切替しきい値を超過して変化をした場合、電力供給ユニット１０１ａ及び１０１ｂの動作数は１から２に変更される。
【００１７】
別の実施形態では、効率動作データは、コントローラ２０のメモリの中にテーブル形式として保存されていてもよい。なお、テーブルを生成する方法は、上記効率曲線を生成する方法と同様である。具体的な説明については、以下に示す表１を参照する。表１の１列目は、０から冗長電源装置１０の最大供給電力までの全範囲を予め設定した間隔で分割した複数の電力供給範囲を含む。本実施形態では、最大供給電力は１２００ワットであり、予め設定した間隔は１２０ワットである。しかし、本開示はそのパラメータに限定されない。表１の２列目は、複数の第１状態効率値を含む。ここで、第１状態効率値の各々は、対応する電力供給範囲（対応する電力供給範囲は表１の同じ行にある）において電力値を供給するために電力供給ユニット１０１ａ及び１０１ｂの１個がオンのときの冗長電源装置１０の電力供給効率を示す。３列目は、複数の第２状態効率値を含む。ここで、第２状態効率値の各々は、対応する電力供給範囲において電力値を供給するために電力供給ユニット１０１ａ及び１０１ｂの２個がオンのときの冗長電源装置１０の電力供給効率を示す。４列目は、同じ電力供給範囲における第１状態効率値と第２状態効率値の最大効率値を示す。５列目は、４列目に示される最大効率値に対応する電力供給ユニット１０１ａ及び１０１ｂの動作数を示す。
【００１８】
【表１】
2019220137.tif 000003
【００１９】
本実施形態では、コントローラ２０の中に保存されたテーブルは、１列目と５列目のみを含んでいてもよく、表１の１列目と５列目に加えて４列目を含んでいてもよい。さらに、上記実施形態で記載した効率曲線Ｃ１は、１列目及び４列目からのデータに基づいて描かれていてもよい。
【００２０】
要約すると、一実施形態では、冗長電源装置１０の制御方法は、上述した第１状態効率値及び第２状態効率値を取得することをさらに含んでいてもよい。第１状態効率値が第２状態効率値よりも大きい場合、コントローラ２０は、第１状態効率値（第１の値）及びその関連する電力供給範囲に対応する動作数を含む効率動作データを生成する。第２状態効率値が第１状態効率値よりも大きい場合、コントローラ２０は、第２状態効率値（第２の値）及びその関連する電力供給範囲に対応する動作数を含む効率動作データを生成する。
【００２１】
上記実施形態は、２個の電力供給ユニット１０１ａ及び１０１ｂを備える冗長電源装置１０を制御する例である。しかし、本開示の制御方法は、２個より多い電力供給ユニットを備える冗長電源装置に適用してもよい。例えば、３個の電力供給ユニットを備える冗長電源装置において、効率動作データを生成する方法は、３つの状態（１個、２個、又は３個の電力供給ユニットがオンとなる）の間での効率値を比較し、効率動作データに最大効率値に関連する動作数を保存することを含む。また、その方法は、他の数の電力供給ユニットを備える冗長電源装置にも同様に適用することができる。上記の効率動作データの生成方法は、コントローラ２０によって実行されてもよい。あるいは、その方法は、コントローラ２０のメモリが効率動作データを保存する前に外部のプロセッサによって実行されてもよい。
【００２２】
なお、背景技術の欄で述べた従来技術のように、冗長電源装置１０を制御する従来の方法は、装置内の全ての電力供給ユニットをオンにすることである。よって、２個の電力供給ユニット１０１ａ及び１０１ｂを備える冗長電源装置１０を制御するコントローラ２０に従来の方法を適用する場合、電力供給効率は上述の第２状態効率値（表１の３列目）に近似する。一方、本開示の制御方法は、電力需要装置３０の必要電力値に応じて、動的に電力供給ユニット１０１ａ及び１０１ｂの動作数の値を制御することができる。したがって、電力供給効率（表１の４列目）は、本制御方法によって改善される。
【００２３】
図２のステップＳ１５を具体的に説明するため、図１、図２及び図６を参照する。ここで、図６は、本開示に基づく一実施形態における図２のステップＳ１５の詳細なフローチャートである。図２のステップＳ１５は、図６のステップＳ１５１からＳ１５７までを含む。ステップＳ１５１からＳ１５７までにおいて、コントローラ２０は、オプション命令を受信し、そのオプション命令の情報を判定する。ここで、オプション命令は、基本入出力システム（ＢＩＯＳ）の設定であってもよい。ステップＳ１５５に示すように、オプション命令が、制御命令に応じて冗長電源装置１０を制御することを示す場合、コントローラ２０は、冗長電源装置１０に制御命令を出力し、制御命令に基づいて冗長電源装置１０を制御する。一方、ステップＳ１５７に示すように、オプション命令が、制御命令に基づいて冗長電源装置１０を制御しないことを示す場合、コントローラ２０は、電力需要装置３０に電力を供給するために電力供給ユニット１０１ａ及び１０１ｂの全てを制御するための別の制御命令を生成する。
【００２４】
別の実施形態では、コントローラ２０が上記実施形態における動的制御方法を実行する期間において、コントローラ２０は、前記期間に、複数のピンによって冗長電源装置１０から動作パラメータ（例えば、電圧、電流及び温度）を検出することができる。さらに、異常状態（例えば、装置の電圧低下、電流超過又は温度超過）が発生した場合、コントローラ２０は警告信号を実行する。本実施形態では、図２のステップＳ１５は、コントローラ２０により、警告信号が発生したかどうかを判定することを含む。具体的には、警告信号が発生しなかった場合、コントローラ２０は、制御命令に応じて冗長電源装置１０を制御し、警告信号が発生した場合、コントローラ２０は、電力需要装置３０に電力を供給するために電力供給ユニット１０１ａ及び１０１ｂの全てを制御する。別の実施形態では、動的制御方法のステップＳ１１からＳ１５までの実行中に、警告信号が発生すると、コントローラ２０は直ちに動的制御方法を停止し、冗長電源装置１０の電力供給ユニット１０１ａ及び１０１ｂの全てをオンにする制御方法を適用してもよい。
【００２５】
上記実施形態の全ては、２個の電力供給ユニット１０１ａ及び１０１ｂを備える冗長電源装置１０に基づくが、本実施形態の制御方法は２個を超過する電力供給ユニットを備える冗長電源装置１０にも適用される。代数によって提案される方法を説明するため、図１及び図７を参照する。ここで、図７は、本開示に基づく別の実施形態における冗長電源装置の制御方法のフローチャートである。本実施形態の制御方法は、冗長電源装置、コントローラ、及び電力需要装置を備える制御システムによって実行することができる。さらに、上述した各要素の種類及び互いの接続関係は図１に示した制御システムと同様であるため、ここでは再び要素を示すことはしない。図７に示される制御方法は、Ｎ個の電力供給ユニットを備える冗長電源装置に適用される。ここで、Ｎは自然数である。また、電力供給ユニットの各々は最大動作電力Ｗワットを含む。ここで、Ｗは負でない整数である。結果として、その冗長電源装置の最大供給電力は多くてもＷ×（Ｎ−１）である。
【００２６】
図７のステップＳ２１では、コントローラは、電力需要装置の必要電力値を検出して計算する。一方、詳細なプロセスは図２のステップＳ１１と同様である。したがって、ここでは再び同一の記載を示すことはしない。ステップＳ２３では、コントローラは、取得した必要電力値と切替しきい値に応じて電力供給ユニットの動作数を決定する。ここで、動作数とは、オンにしなければならない電力供給ユニットの必要な数を意味し、コントローラは、電力供給ユニットの動作数に応じて制御命令を生成する。切替しきい値はＷ×ＭワットとＷ×（Ｍ＋１）ワットの間である。ここで、Ｍは、負でない整数であり、Ｍは（Ｎ−２）以下である。電力供給ユニットの必要電力値が、切替しきい値未満から切替しきい値を超過して変化した場合、コントローラは、動作数の値を（Ｍ＋１）から（Ｍ＋２）に変更する。特に、Ｍがゼロに等しい場合では、切替しきい値はＷの５０％から８０％までである。ステップＳ２５では、コントローラは、冗長電源装置にステップＳ２３において生成された制御命令を選択的に出力し、コントローラは、制御命令に基づいて冗長電源装置を制御する。一方、詳細なプロセスは上述した図２のステップＳ１５と同様であるため、再び示すことはしない。なお、一実施形態では、冗長電源装置の電力供給ユニットの各々が、決定された動作数に従って異なる効率レベル（銅、銀、金、白金又はチタンレベルなど）を含む場合、コントローラ２０は、最初に、冗長電源装置の電力供給効率を最適に保つための好ましい効率レベルで電力供給ユニットをオンにする。
【００２７】
上述した構成のように、本開示では、冗長原電装置に適用される制御方法を開示する。その制御方法は、電力需要装置の必要な電力及び効率動作データに基づいて、冗長電源装置の電力供給ユニットの動作数の値を動的に決定することができる。また、その制御方法は、必要電力値及び切替しきい値に基づいて電力供給ユニットの動作数の値を動的に決定することができる。したがって、冗長電源装置は最適な電力供給効率の下で動作し続け、本制御方法によって消費電力が減る。
【００２８】
上記の実施形態及び添付の図面は例示的なものであり、網羅的であること、又は本開示の範囲を開示された厳密な形態に限定することを意図するものではない。上記教示に鑑みて、多くの修正及び変形が可能である。
【図１】
2019220137.tif 000004
【図２】
2019220137.tif 000005
【図３】
2019220137.tif 000006
【図４】
2019220137.tif 000007
【図５】
2019220137.tif 000008
【図６】
2019220137.tif 000009
【図７】
2019220137.tif 000010